(57)【要約】【課題】色情報を操作者に与えて操作ミスを防止する。【解決手段】照明内蔵操作スイッチ（２ａ）の色およびタッチパネル（２ｂ）の背景色および画像表示装置（４）の背景色を、操作者が選択した検査カテゴリに対応した色に変化させる。【効果】操作者が選択したつもりの検査カテゴリと実際に選択された検査カテゴリとが一致しているか否かを視覚的・感覚的に認識できる。よって、操作者が選択したつもりのない検査カテゴリが選択されたままで検査に進んでしまうミスを防止することが出来る。【選択図】図５
2009077847.tif 000002
【特許請求の範囲】
【請求項１】
発光する色を変化させうる操作ボタンと、操作者が選択した検査カテゴリに応じて前記操作ボタンを発光させる色を切り替える操作ボタン発光色切替手段とを具備することを特徴とする超音波診断装置。
【請求項２】
発光する色を変化させうる操作ボタンと、操作者が選択したプリセットに応じて前記操作ボタンを発光させる色を切り替える操作ボタン発光色切替手段とを具備することを特徴とする超音波診断装置。
【請求項３】
発光する色を変化させうる操作ボタンと、検査対象の患者情報に応じて前記操作ボタンを発光させる色を切り替える操作ボタン発光色切替手段とを具備することを特徴とする超音波診断装置。
【請求項４】
請求項１から請求項３のいずれかに記載の超音波診断装置において、前記操作ボタンはフリーズ・ボタンであることを特徴とする超音波診断装置。
【請求項５】
全面または一部分の発光する色を変化させうるタッチパネルと、操作者が選択した検査カテゴリに応じて前記タッチパネルの全面または一部分の発光する色を切り替えるタッチパネル発光色切替手段とを具備することを特徴とする超音波診断装置。
【請求項６】
全面または一部分の発光する色を変化させうるタッチパネルと、操作者が選択したプリセットに応じて前記タッチパネルの全面または一部分の発光する色を切り替えるタッチパネル発光色切替手段とを具備することを特徴とする超音波診断装置。
【請求項７】
全面または一部分の発光する色を変化させうるタッチパネルと、検査対象の患者情報に応じて前記タッチパネルの全面または一部分の発光する色を切り替えるタッチパネル発光色切替手段とを具備することを特徴とする超音波診断装置。
【請求項８】
全部または一部の画素の色を変化させうる画像表示装置と、操作者が選択した検査カテゴリに応じて前記画像表示装置の全部または一部の画素の色を切り替える画素色切替手段とを具備することを特徴とする超音波診断装置。
【請求項９】
全部または一部の画素の色を変化させうる画像表示装置と、操作者が選択したプリセットに応じて前記画像表示装置の全部または一部の画素の色を切り替える画素色切替手段とを具備することを特徴とする超音波診断装置。
【請求項１０】
全部または一部の画素の色を変化させうる画像表示装置と、検査対象の患者情報に応じて前記画像表示装置の全部または一部の画素の色を切り替える画素色切替手段とを具備することを特徴とする超音波診断装置。
【請求項１１】
請求項１，請求項５，請求項８のいずれかに記載の超音波診断装置において、前記検査カテゴリは、少なくとも産科と循環器科とを選択肢として含むことを特徴とする超音波診断装置。
【請求項１２】
請求項２，請求項６，請求項９のいずれかに記載の超音波診断装置において、前記プリセットは、異なる操作者により設定されうる少なくとも２つのプリセットを含むことを特徴とする超音波診断装置。
【請求項１３】
請求項３、請求項７，請求項１０のいずれかに記載の超音波診断装置において、前記患者情報は患者の性別であることを特徴とする超音波診断装置。
【請求項１４】
請求項３、請求項７，請求項１０のいずれかに記載の超音波診断装置において、前記患者情報は患者の年代であることを特徴とする超音波診断装置。
【請求項１５】
請求項１から請求項１４のいずれかに記載の超音波診断装置において、操作者が色を選択するための色選択手段を具備したことを特徴とする超音波診断装置。
【請求項１６】
請求項１から請求項１５のいずれかに記載の超音波診断装置において、前記色は、ピンクおよびグリーンを含むことを特徴とする超音波診断装置。
【発明の詳細な説明】
【技術分野】
【０００１】
本発明は、超音波診断装置に関し、さらに詳しくは、操作ミスを防止しうる色情報を操作者に与えることが出来る超音波診断装置に関する。
【背景技術】
【０００２】
従来、超音波診断装置のある使用モードにおいて、入力ボタンを４色で表示する例がある。すなわち、必須の設定に使う入力ボタンであり且つ設定入力中でない入力ボタンを赤色で表示し、その赤色の入力ボタンのうちの一つを点滅させ、必須の設定に使う入力ボタンであり且つ設定入力済の入力ボタンを青色で表示し、必須でない設定に使う入力ボタンであり且つ設定入力中でない入力ボタンを黄色で表示し、設定入力中の入力ボタンを橙色で表示するようにした超音波診断装置が知られている（例えば、特許文献１参照。）。
【特許文献１】特開２００４−１２９８８２号公報（要約）
【発明の開示】
【発明が解決しようとする課題】
【０００３】
上記従来の超音波診断装置では、設定入力時の入力ボタンの色を変えることにより、設定入力の支援・誘導を行うことが出来た。
しかし、設定入力時以外での色情報の利用は行われていなかった。
そこで、本発明の目的は、操作ミスを防止しうる色情報を操作者に与えることが出来る超音波診断装置を提供することにある。
【課題を解決するための手段】
【０００４】
第１の観点では、本発明は、発光する色を変化させうる操作ボタンと、操作者が選択した検査カテゴリに応じて前記操作ボタンを発光させる色を切り替える操作ボタン発光色切替手段とを具備することを特徴とする超音波診断装置を提供する。
上記構成において、検査カテゴリとは、検査対象の部位や検査目的に適応させた検査項目の集合をいう。検査カテゴリが例えば産科用なら子宮内の胎児の計測に適応させた検査項目の集合になり、例えば循環器用なら心臓の運動に適応させた検査項目の集合になる。
上記第１の観点による超音波診断装置では、操作者が選択したつもりの検査カテゴリと実際に選択された検査カテゴリとが一致しているか否かを操作ボタンの色により視覚的・感覚的に認識できる。よって、操作者が選択したつもりのない検査カテゴリが選択されたままで検査に進んでしまうミスを防止することが出来る。
【０００５】
第２の観点では、本発明は、発光する色を変化させうる操作ボタンと、操作者が選択したプリセットに応じて前記操作ボタンを発光させる色を切り替える操作ボタン発光色切替手段とを具備することを特徴とする超音波診断装置を提供する。
上記構成において、プリセットとは、操作者が設定した走査用や画像表示用などのパラメータの集合をいう。例えば動きのリアルタイム性を重視したプリセットや解像度を重視したプリセットなどが設定される。また、操作者毎に異なる好みの表示画質がプリセットが設定される。
上記第２の観点による超音波診断装置では、操作者が選択したつもりのプリセットと実際に選択されたプリセットとが一致しているか否かを操作ボタンの色により視覚的・感覚的に認識できる。よって、操作者が選択したつもりのないプリセットが選択されたままで検査に進んでしまうミスを防止することが出来る。
【０００６】
第３の観点では、本発明は、発光する色を変化させうる操作ボタンと、検査対象の患者情報に応じて前記操作ボタンを発光させる色を切り替える操作ボタン発光色切替手段とを具備することを特徴とする超音波診断装置を提供する。
上記構成において、患者情報とは、性別や年齢や患部など患者に付属する情報の集合をいう。
上記第３の観点による超音波診断装置では、操作者が選択したつもりの患者情報と実際に選択された患者情報とが一致しているか否かを操作ボタンの色により視覚的・感覚的に認識できる。よって、別の患者の患者情報が選択されたままで検査に進んでしまうミスを防止することが出来る。
【０００７】
第４の観点では、本発明は、前記第１から前記第３のいずれかの観点による超音波診断装置において、前記操作ボタンはフリーズ・ボタンを含むことを特徴とする超音波診断装置を提供する。
上記第４の観点による超音波診断装置では、操作者が選択したつもりの対象と実際に選択された対象とが一致しているか否かをフリーズ・ボタンの色により視覚的・感覚的に認識できる。よって、操作者が選択したつもりでない対象が選択されたままで検査に進んでしまうミスを防止することが出来る。
【０００８】
第５の観点では、本発明は、全面または一部分の発光する色を変化させうるタッチパネルと、操作者が選択した検査カテゴリに応じて前記タッチパネルの全面または一部分の発光する色を切り替えるタッチパネル発光色切替手段とを具備することを特徴とする超音波診断装置を提供する。
上記構成において、検査カテゴリとは、検査対象の部位や検査目的に適応させた検査項目の集合をいう。検査カテゴリが例えば産科用なら子宮内の胎児の計測に適応させた検査項目の集合になり、例えば循環器用なら心臓の運動に適応させた検査項目の集合になる。
上記第５の観点による超音波診断装置では、操作者が選択したつもりの検査カテゴリと実際に選択された検査カテゴリとが一致しているか否かをタッチパネルの色により視覚的・感覚的に認識できる。よって、操作者が選択したつもりのない検査カテゴリが選択されたままで検査に進んでしまうミスを防止することが出来る。
【０００９】
第６の観点では、本発明は、全面または一部分の発光する色を変化させうるタッチパネルと、操作者が選択したプリセットに応じて前記タッチパネルの全面または一部分の発光する色を切り替えるタッチパネル発光色切替手段とを具備することを特徴とする超音波診断装置を提供する。
上記構成において、プリセットとは、操作者が設定した走査用や画像表示用などのパラメータの集合をいう。例えば動きのリアルタイム性を重視したプリセットや解像度を重視したプリセットなどが設定される。また、操作者毎に異なる好みの表示画質がプリセットが設定される。
上記第６の観点による超音波診断装置では、操作者が選択したつもりのプリセットと実際に選択されたプリセットとが一致しているか否かをタッチパネルの色により視覚的・感覚的に認識できる。よって、操作者が選択したつもりのないプリセットが選択されたままで検査に進んでしまうミスを防止することが出来る。
【００１０】
第７の観点では、本発明は、全面または一部分の発光する色を変化させうるタッチパネルと、検査対象の患者情報に応じて前記タッチパネルの全面または一部分の発光する色を切り替えるタッチパネル発光色切替手段とを具備することを特徴とする超音波診断装を提供する。
上記構成において、患者情報とは、性別や年齢や患部など患者に付属する情報の集合をいう。
上記第７の観点による超音波診断装置では、操作者が選択したつもりの患者情報と実際に選択された患者情報とが一致しているか否かをタッチパネルの色により視覚的・感覚的に認識できる。よって、別の患者の患者情報が選択されたままで検査に進んでしまうミスを防止することが出来る。
【００１１】
第８の観点では、本発明は、全部または一部の画素の色を変化させうる画像表示装置と、操作者が選択した検査カテゴリに応じて前記画像表示装置の全部または一部の画素の色を切り替える画素色切替手段とを具備することを特徴とする超音波診断装置を提供する。
上記構成において、検査カテゴリとは、検査対象の部位や検査目的に適応させた検査項目の集合をいう。検査カテゴリが例えば産科用なら子宮内の胎児の計測に適応させた検査項目の集合になり、例えば循環器用なら心臓の運動に適応させた検査項目の集合になる。
上記第８の観点による超音波診断装置では、操作者が選択したつもりの検査カテゴリと実際に選択された検査カテゴリとが一致しているか否かを画像表示装置の画面の色により視覚的・感覚的に認識できる。よって、操作者が選択したつもりのない検査カテゴリが選択されたままで検査に進んでしまうミスを防止することが出来る。
【００１２】
第９の観点では、本発明は、全部または一部の画素の色を変化させうる画像表示装置と、操作者が選択したプリセットに応じて前記画像表示装置の全部または一部の画素の色を切り替える画素色切替手段とを具備することを特徴とする超音波診断装置を提供する。
上記構成において、プリセットとは、操作者が設定した走査用や画像表示用などのパラメータの集合をいう。例えば動きのリアルタイム性を重視したプリセットや解像度を重視したプリセットなどが設定される。また、操作者毎に異なる好みの表示画質がプリセットが設定される。
上記第９の観点による超音波診断装置では、操作者が選択したつもりのプリセットと実際に選択されたプリセットとが一致しているか否かを画像表示装置の画面の色により視覚的・感覚的に認識できる。よって、操作者が選択したつもりのないプリセットが選択されたままで検査に進んでしまうミスを防止することが出来る。
【００１３】
第１０の観点では、本発明は、全部または一部の画素の色を変化させうる画像表示装置と、検査対象の患者情報に応じて前記画像表示装置の全部または一部の画素の色を切り替える画素色切替手段とを具備することを特徴とする超音波診断装置を提供する。
上記構成において、患者情報とは、性別や年齢や患部など患者に付属する情報の集合をいう。
上記第１０の観点による超音波診断装置では、操作者が選択したつもりの患者情報と実際に選択された患者情報とが一致しているか否かを画像表示装置の画面の色により視覚的・感覚的に認識できる。よって、別の患者の患者情報が選択されたままで検査に進んでしまうミスを防止することが出来る。
【００１４】
第１１の観点では、本発明は、前記第１，前記第５，前記第８のいずれかの観点による超音波診断装置において、前記検査カテゴリは、少なくとも産科と循環器科とを選択肢として含むことを特徴とする超音波診断装置を提供する。
上記第８の観点による超音波診断装置では、検査カテゴリとして、子宮内の胎児の計測に適応させた検査項目の集合である産科と、心臓の運動に適応させた検査項目の集合である循環器科とで、色を変えることが出来る。
【００１５】
第１２の観点では、本発明は、前記第２，前記第６，前記第９のいずれかの観点による超音波診断装置において、前記プリセットは、異なる操作者により設定されうる少なくとも２つのプリセットを含むことを特徴とする超音波診断装置を提供する。
上記第１２の観点による超音波診断装置では、複数の操作者が独立に設定した各プリセットで、色を変えることが出来る。
【００１６】
第１３の観点では、本発明は、前記第３、前記第７，前記第１０のいずれかの観点による超音波診断装置において、前記患者情報は患者の性別であることを特徴とする超音波診断装置を提供する。
上記第１３の観点による超音波診断装置では、患者の性別によって、色を変えることが出来る。
【００１７】
第１４の観点では、本発明は、前記第３、前記第７，前記第１０のいずれかの観点による超音波診断装置において、前記患者情報は患者の年代であることを特徴とする超音波診断装置を提供する。
上記第１４の観点による超音波診断装置では、患者の年代によって、色を変えることが出来る。
【００１８】
第１５の観点では、本発明は、前記第１から前記第１４のいずれかの観点による超音波診断装置において、操作者が色を選択するための色選択手段を具備したことを特徴とする超音波診断装置を提供する。
上記第１５の観点による超音波診断装置では、操作者が好みの色を選択することが出来る。
【００１９】
第１６の観点では、本発明は、前記第１から第１５のいずれかの観点による超音波診断装置において、前記色は、ピンクおよびグリーンを含むことを特徴とする超音波診断装置を提供する。
上記第１６の観点による超音波診断装置では、ピンクとグリーンなので、色の違いをはっきりと認識することが出来る。
【発明の効果】
【００２０】
本発明の超音波診断装置によれば、操作ミスを防止しうる色情報を操作者に与えることが出来る。
【発明を実施するための最良の形態】
【００２１】
以下、図に示す実施の形態により本発明をさらに詳細に説明する。なお、これにより本発明が限定されるものではない。
【実施例１】
【００２２】
図１は、実施例１に係る超音波診断装置１０の斜視図である。
この超音波診断装置１０は、超音波の送受信を行うためのプローブ１と、操作者が指示やデータを入力するための操作卓２と、後述する色変更処理などの処理を行う超音波診断装置本体３と、超音波画像を表示するための画像表示装置４を具備している。
【００２３】
操作卓２は、フリーズ・ボタンを含む照明内蔵操作スイッチ２ａや、タッチパネル２ｂや、キーボード２ｃや、トラックボール２ｄなどを備えている。
【００２４】
照明内蔵操作スイッチ２ａは、３原色のＬＥＤを内蔵しており、少なくともピンクとグリーンを含む６色に色を変えることが出来る。
【００２５】
タッチパネル２ｂは、カラー液晶パネルを内蔵しており、少なくともピンクとグリーンを含む６色に背景色や文字色を変えることが出来る。
【００２６】
画像表示装置４は、カラー液晶パネルを内蔵しており、少なくともピンクとグリーンを含む６色に背景色や文字色を変えることが出来る。
【００２７】
図２は、画像表示装置４に表示される機器設定画面のうちの検査カテゴリ毎の色を指定する設定画面例である。
各検査カテゴリ毎に６色の色アイコンが並んでいるので、トラックボール２ｄを操作して、「産科」や「循環器科」などの色を指定する。
【００２８】
図３は、画像表示装置４に表示されるメニュー画面のうちの検査カテゴリを選択するメニュー画面例である。
各検査カテゴリのアイコンが、それぞれの指定色で並んでいるので、トラックボール２ｄを操作して、所望の検査カテゴリを選択する。
【００２９】
図４は、実施例１に係る色変更処理を示すフロー図である。
ステップＣ１では、検査カテゴリが選択されるまで待機し、選択されたらステップＣ２へ進む。
ステップＣ２では、検査カテゴリとして「産科」が選択されたのならステップＣ３へ進み、そうでないならステップＣ４へ進む。
ステップＣ３では、全ての照明内蔵操作スイッチ２ａの色を産科指定色（例えばピンク）にし、タッチパネル２ｂの背景色を産科指定色にし、画像表示装置４の背景色を産科指定色にする。そして、処理を終了する。
【００３０】
ステップＣ４では、検査カテゴリとして「循環器科」が選択されたのならステップＣ５へ進み、そうでないならステップＣ２，Ｃ３と同様の別の検査カテゴリ用の処理（図示省略）へと進む。
ステップＣ５では、全ての照明内蔵操作スイッチ２ａの色を循環器科指定色（例えばグリーン）にし、タッチパネル２ｂの背景色を循環器科指定色にし、画像表示装置４の背景色を循環器科指定色にする。そして、処理を終了する。
【００３１】
図５は、全ての照明内蔵操作スイッチ２ａの色およびタッチパネル２ｂの背景色および画像表示装置４の背景色が変更された状態の超音波診断装置１０を示す斜視図である。
【００３２】
実施例１の超音波診断装置１０によれば、操作者が選択したつもりの検査カテゴリと実際に選択された検査カテゴリとが一致しているか否かを、照明内蔵操作スイッチ２ａの色およびタッチパネル２ｂの背景色および画像表示装置４の背景色により視覚的・感覚的に認識できる。よって、操作者が選択したつもりのない検査カテゴリが選択されたままで検査に進んでしまうミスを防止することが出来る。
【実施例２】
【００３３】
実施例２に係る超音波診断装置の構成は、図１に示す超音波診断装置１０と基本的に同じである。
【００３４】
図６は、画像表示装置４に表示される機器設定画面のうちのプリセット毎の色を指定する設定画面例である。
各プリセット毎に６色の色アイコンが並んでいるので、トラックボール２ｄを操作して、「プリセット＃１」や「プリセット＃２」などの色を指定する。
【００３５】
図７は、画像表示装置４に表示されるメニュー画面のうちのプリセットを選択するメニュー画面例である。
各プリセットのアイコンが、それぞれの指定色で並んでいるので、トラックボール２ｄを操作して、所望のプリセットを選択する。
【００３６】
図８は、実施例２に係る色変更処理を示すフロー図である。
ステップＳ１では、プリセットが選択されるまで待機し、選択されたらステップＳ２へ進む。
ステップＳ２では、「プリセット＃１」が選択されたのならステップＳ３へ進み、そうでないならステップＳ４へ進む。
ステップＳ３では、全ての照明内蔵操作スイッチ２ａの色をプリセット＃１指定色（例えばピンク）にし、タッチパネル２ｂの背景色をプリセット＃１指定色にし、画像表示装置４の背景色をプリセット＃１指定色にする。そして、処理を終了する。
【００３７】
ステップＳ４では、「プリセット＃２」が選択されたのならステップＳ５へ進み、そうでないならステップＳ２，Ｓ３と同様の別のプリセット用の処理（図示省略）へと進む。
ステップＳ５では、全ての照明内蔵操作スイッチ２ａの色をプリセット＃２指定色（例えばグリーン）にし、タッチパネル２ｂの背景色をプリセット＃２指定色にし、画像表示装置４の背景色をプリセット＃２指定色にする。そして、処理を終了する。
【００３８】
全ての照明内蔵操作スイッチ２ａの色およびタッチパネル２ｂの背景色および画像表示装置４の背景色が変更された状態の超音波診断装置は、図５に示す超音波診断装置１０と同様になる。
【００３９】
実施例２の超音波診断装置によれば、操作者が選択したつもりのプリセットと実際に選択されたプリセットとが一致しているか否かを、照明内蔵操作スイッチ２ａの色およびタッチパネル２ｂの背景色および画像表示装置４の背景色により視覚的・感覚的に認識できる。よって、操作者が選択したつもりのないプリセットが選択されたままで検査に進んでしまうミスを防止することが出来る。
【実施例３】
【００４０】
実施例３に係る超音波診断装置の構成は、図１に示す超音波診断装置１０と基本的に同じである。但し、照明内蔵操作スイッチ２ａの色およびタッチパネル２ｂの背景色および画像表示装置４の背景色は、例えば「９才以下」はピンク、「１０才〜１９才」はグリーンというように、患者の年代毎にデフォルトで決められている。
【００４１】
図９は、画像表示装置４に表示されるメニュー画面のうちの患者を選択するメニュー画面例である。
トラックボール２ｄを操作して、患者リストの中から、検査対象の患者を選択する。
【００４２】
図１０は、実施例３に係る色変更処理を示すフロー図である。
ステップＰ１では、患者が選択されるまで待機し、選択されたらステップＰ２へ進む。
ステップＰ２では、選択された患者情報をデータベースから取得する。
【００４３】
ステップＰ３では、患者の年齢が「９才以下」ならステップＰ４へ進み、そうでないならステップＰ５へ進む。
ステップＰ４では、全ての照明内蔵操作スイッチ２ａの色をピンクにし、タッチパネル２ｂの背景色をピンクにし、画像表示装置４の背景色をピンクにする。そして、処理を終了する。
【００４４】
ステップＰ５では、患者の年齢が「１０才〜１９才」ならステップＰ６へ進み、そうでないならステップＰ３，Ｐ４と同様の別の年代用の処理（図示省略）へ進む。
ステップＰ６では、全ての照明内蔵操作スイッチ２ａの色をグリーンにし、タッチパネル２ｂの背景色をグリーンにし、画像表示装置４の背景色をグレーンにする。そして、処理を終了する。
【００４５】
全ての照明内蔵操作スイッチ２ａの色およびタッチパネル２ｂの背景色および画像表示装置４の背景色が変更された状態の超音波診断装置は、図５に示す超音波診断装置１０と同様になる。
【００４６】
実施例３の超音波診断装置によれば、操作者が選択したつもりの患者と実際に選択された患者とが年代的に一致しているか否かを、照明内蔵操作スイッチ２ａの色およびタッチパネル２ｂの背景色および画像表示装置４の背景色により視覚的・感覚的に認識できる。よって、操作者が選択したつもりのない患者が選択されたままで検査に進んでしまうミスをある程度防止することが出来る。
【実施例４】
【００４７】
患者の性別に応じて照明内蔵操作スイッチ２ａの色およびタッチパネル２ｂの背景色および画像表示装置４の背景色を変えてもよい。
【実施例５】
【００４８】
タッチパネル２ｂの文字色や、画像表示装置４の文字色を変えてもよい。
【産業上の利用可能性】
【００４９】
本発明は、検査カテゴリやプリセットなどを切り替えて使用される超音波診断装置に利用できる。
【図面の簡単な説明】
【００５０】
【図１】実施例１に係る超音波診断装置を示す斜視図である。
【図２】検査カテゴリ毎の色を指定する設定画面の例示図である。
【図３】検査カテゴリを選択するメニュー画面の例示図である。
【図４】実施例１に係る色変更処理を示すフロー図である。
【図５】操作スイッチなどの色を変更した超音波診断装置を示す斜視図である。
【図６】プリセット毎の色を指定する設定画面の例示図である。
【図７】プリセットを選択するメニュー画面の例示図である。
【図８】実施例２に係る色変更処理を示すフロー図である。
【図９】患者を選択するメニュー画面の例示図である。
【図１０】実施例３に係る色変更処理を示すフロー図である。
【符号の説明】
【００５１】
１        プローブ
２        操作卓
２ａ      照明内蔵操作スイッチ
２ｂ      タッチパネル
２ｃ      キーボード
２ｄ      トラックボール
３        超音波診断装置本体
４        画像表示装置
１０      超音波診断装置
【図１】
2009077847.tif 000003
【図２】
2009077847.tif 000004
【図３】
2009077847.tif 000005
【図４】
2009077847.tif 000006
【図５】
2009077847.tif 000007
【図６】
2009077847.tif 000008
【図７】
2009077847.tif 000009
【図８】
2009077847.tif 000010
【図９】
2009077847.tif 000011
【図１０】
2009077847.tif 000012